(57)【要約】【課題】  グリップ部での持ち手感覚が失われることをなくグリップ側シャフトのヘッドのネックに対する取付角を調節できるゴルフクラブを提供する。また、ゴルファーが実際にスイングするときの姿勢に応じて、シャフト長さと取付角度の最適な設定をすることが可能なゴルフクラブの取付角度の設定装置及び設定方法を提供する。【解決手段】  グリップ側シャフトがヘッドのネックから着脱自在で、グリップ側シャフトのヘッドのネックに対する取付角が調節可能なゴルフクラブＣを使用して、ヘッドを外した状態で、地面に設置される鏡２２に着脱自在に取り付け、ゴルファーがグリップ側シャフトのグリップを把持して鏡２２に向かって構えて、ゴルフクラブＣのシャフトの取付角度を調節する。【選択図】  図１８
2014008290.tif 000002
【特許請求の範囲】
【請求項１】
ヘッドのネックとグリップ側シャフトとを連結するとともにヘッドのネックに曲げ加工の可能な細径の角度調節部を有する連結部材を設けて、グリップ側シャフトのヘッドのネックに対する取付角を前記角度調節部で曲げ加工して調節することを特徴とするゴルフクラブ。
【請求項２】
前記曲げ加工の可能な角度調節部は、グリップ側シャフトの径よりも細く形成される細径部と、この細径部の前後にこれよりも太い太径部を有することを特徴とする請求項１記載のゴルフクラブ。
【請求項３】
前記連結部材は、ヘッドのネックとグリップ側シャフトに各々螺合して連結されるか、又は、ヘッドのネックとグリップ側シャフトに各々嵌合して連絡されることを特徴とする請求項１記載のゴルフクラブ。
【請求項４】
グリップ側シャフトと、ネックを有するヘッドと、グリップ側シャフトとヘッドのネックとを連結する連結部材を備え、グリップ側シャフトのネックに対する取付角を調節する第１の角度調節部と、第１の角度調節部による調整後のヘッドのネックとグリップ側の持ち手位置との取付角度を調節のための第２の角度調節部が設けられていることを特徴とするゴルフクラブ。
【請求項５】
前記第１の角度調節部は、ヘッドのネックの先端部に設けられる球形状部材と、一端側が球形状部材に係止されながら回転可能に構成され、他端側内壁にネジが形成された第１の螺合用ソケットで構成され、上記連結部材との間で所定角度の角度調整が可能であり、前記第２の角度調節部は、前記連結部材に形成された第２の螺合用ソケットと、グリップ側シャフトの先端に形成されたネジとの間で所定角度の角度調整が可能なことを特徴とする請求項４記載のゴルフクラブ。
【請求項６】
地面に設置される鏡と、この鏡に取り付けられ、ゴルフクラブのヘッドを位置決めする位置決め治具とを備え、前記鏡に前記ゴルフクラブのヘッドの打球面に沿ってＹラインが施されているか、または、Ｙラインに直交するラインであってカップに向かうＸラインが施され、前記位置決め治具は前記ゴルフクラブのヘッドの前記Ｙラインの側から挟む左右側調節部、及び／又は、前記ゴルフクラブのヘッドの前記Ｘラインの側の位置決めをする中央側調節部を備えることを特徴とするゴルフクラブの取付角度の設定器。
【請求項７】
請求項６記載のゴルフクラブの取付角度の設定器を使用して、前記ゴルフクラブのヘッドを位置決め手段により位置決めしたときの前記ＸラインとＹラインとの交差点に、ゴルファーの左右の目のうちの利き目のラインが位置するようにして構え、グリップ側シャフトのヘッドのネックに対する取付角を測定することを特徴とするゴルフクラブのシャフト取付角度の設定方法。
【請求項８】
グリップ側シャフトがヘッドのネックから着脱自在で、グリップ側シャフトのヘッドのネックに対する取付角が調節可能なゴルフクラブを使用して、ヘッドを外した状態で、地面に設置される鏡に着脱自在に取り付け、ゴルファーがグリップ側シャフトのグリップを把持して鏡に向かって構えて、ゴルフクラブのシャフトの取付角度を調節することを特徴とするゴルフクラブの取付角度の設定器。
【請求項９】
前記鏡に、前記ヘッドの打球面に沿ってＹラインが施されるとともに、Ｙラインに直交するラインであってカップに向かうＸラインが施されていることを特徴とする請求項３記載のゴルフクラブの取付角度の設定器。
【請求項１０】
グリップ側シャフトがヘッドのネックから着脱自在で、グリップ側シャフトのヘッドのネックに対する取付角が調節可能なゴルフクラブを使用して、ヘッドを外した状態で、地面に設置される鏡に着脱自在に取り付け、グリップ側シャフトのグリップを把持して鏡に向かって構えて、ゴルフクラブのシャフトの取付角度を調節することを特徴とするゴルフクラブの取付角度の設定方法。
【請求項１１】
ゴルファーの左右の目のうちの利き目の垂直下に、前記ゴルフクラブのヘッドの打球面が位置するように構えることを特徴とする請求項５又は６記載のゴルフクラブのシャフト取付角度の設定方法。
【請求項１２】
グリップ側シャフトのグリップが長さ調節可能に構成されるか、又は、長さの異なるグリップ側シャフトを複数本配しておき、ゴルフクラブの取付角度を調節する際に、ゴルフクラブのシャフト長さを調節することを特徴とする請求項５又は６記載のゴルフクラブの取付角度の設定方法。
【請求項１３】
グリップ側シャフトのグリップが長さ調節可能に構成されるか、又は、長さの異なるグリップ側シャフトを複数本配しておき、ゴルフクラブの取付角度を調節する際に、ゴルフクラブのシャフト長さを調節することを特徴とする請求項５又は６記載のゴルフクラブの取付角度の設定方法。
【請求項１４】
請求項１ないし３のいずれか１項記載の角度調節部の曲げ加工器であり、ヘッドのネックとグリップ側シャフトを前記角度調節部を介して連結させた状態で曲げ加工するに際して、これらを固定した状態でヘッドのネック部を回転させる回転部を有することを特徴とするゴルフクラブの角度調節部の曲げ加工器。
【請求項１５】
前記角度調節部をその外側から固定する補助金具を備え、該補助金具を固定することを特徴とする請求項１４記載のゴルフクラブの角度調節部の曲げ加工器。
【発明の詳細な説明】
【技術分野】
【０００１】
この発明は、グリップ側シャフトのヘッドのネックに対する取付角を調節可能なゴルフクラブを使用して、このゴルフクラブの取付角度の設定器及び設定方法、ゴルフクラブの角度調節部の曲げ加工器に関する。
【従来の技術】
【０００２】
従来、ゴルファーの最適なゴルフクラブを提供するために、グリップ側シャフトとゴルフヘッドを有するヘッドのネックとを着脱自在に構成したゴルフクラブが提供されている（特許文献１）。また、シャフトと打球面の向きとが作る取付角度であるプル角、シャフトに対する打球面の傾斜角であるロフト角、パターヘッドとシャフトとが作る取付角度であるライ角、シャフトの中心線とリーディングエッジとの距離であるフェース・プロプレグレッションを調節することのできるゴルフクラブが種々提案されている。
【０００３】
しかし、従来のゴルフクラブは、プル角、ロフト角、ライ角のうちの一つぐらいしか調節するものがなかったことから、特許文献１に示す、プル角、ロフト角とライ角を同時に調節できるゴルフパターが提案されている。
また、特許文献２や３に示すように、ネジと、ネジ溝を有する筒状ソケット等を使用して、ゴルフクラブのヘッドの角度調節可能なものが開示されている。
なお、ゴルフスイングにおける頭部や肩等の線の動態変化を自分の目で上面から観察するゴルフ用補助装置としては、特許文献４がある。
【特許文献１】実用新案登録第３０２３３５１号公報
【特許文献２】特開２００１−９０７３号公報
【特許文献３】実用新案登録第３１２７３４９号公報
【特許文献４】特開２００７−８９８４３号公報
【発明の開示】
【発明が解決しようとする課題】
【０００４】
ところで、プル角、ロフト角とライ角というような取付角が重要であることは勿論であるが、ゴルファーはグリップ部での持ち手感覚（把持する感覚）も大切にする。特に、パッティングはゴルフで最も高い精度が必要なプレーであり、ゴルフパターのグリップ部での持ち手感覚（把持する感覚）は極めて重要である。
しかしながら、従来の特許文献では、グリップ側シャフトのヘッドのネックに対する取付角を調節できたとしても、そのために上記グリップ部での持ち手感覚が失われるおそれがあった。特に、ゴルフパターのグリップ部は、断面が矩形状を呈して、親指等を接触させる面が決めるべきものがあり、この面が上記取付角の調整で失われると、正確なパッティングは期待できなくなる。さらに、従来のものとして、ヘッドノネック側を曲げ加工するものがあるが、その曲げによる全体のバランスが失われるなどの悪影響が生じる問題を有していた。
【０００５】
そして、上記グリップ部での持ち手感覚を維持したままの状態で、プル角、ロフト角とライ角というような取付角を正確に設定する必要があるが、更に、シャフトの長さ等を個個人のゴルファーに合わせて設定する必要や（同じゴルファーでもゴルフの上達等に応じて再設定することも必要である。）、更にまた、ゴルファーがグリップ部を正確な姿勢で構えて、その姿勢で把持して（ゴルフパターであれば、親指等を接触させる面を決めた状態で設定する。）、かかる状態で、取付角やシャフト長さ設定せねばならない。
また、ゴルファーが地面に置いたボール位置との関係でその姿勢を維持しながら、そのままゴルフのヘッドのグリップ側シャフトに対する取付角やシャフト長さ設定を正確に測定する装置もその設定方法もとして十分なものはなかった。
【０００６】
そこで、本発明の目的は、ゴルファーが実際にスイングするときの姿勢に応じて、ヘッドの取付角度やシャフト長さの最適な設定や測定をすることが可能なゴルフクラブの取付角度の設定装置及び設定方法、ゴルフクラブの角度調節部の曲げ加工器を提供することにある。また、グリップ部での持ち手感覚が失われることをなくグリップ側シャフトのヘッドのネックに対する取付角を調節できるゴルフヘッドを提供することにある。
【課題を解決するための手段】
【０００７】
本発明のゴルフクラブは、ヘッドのネックとグリップ側シャフトとを連結するとともにヘッドのネックに曲げ加工の可能な細径の角度調節部を有する連結部材を設けて、グリップ側シャフトのヘッドのネックに対する取付角を前記角度調節部で曲げ加工して調節することを特徴とする。ここで、前記曲げ加工の可能な角度調節部は、グリップ側シャフトの径よりも細く形成される細径部と、この細径部の前後にこれよりも太い太径部を有することが好ましい。
本発明によれば、前記細径の角度調節部を利用してヘッドのネックとグリップ側の持ち手位置との取付角度の調節を行なうことができる。また、前記ヘッドのネックとグリップ側シャフトとを連結する連結部材に前記角度調節部が設けられていることで、分離構造から組立てながらシャフトの取付角度を容易に設定することが可能になる。
【０００８】
本発明のゴルフクラブとしては、グリップ側シャフトと、ネックを有するヘッドと、グリップ側シャフトとヘッドのネックとを連結する連結部材を備え、グリップ側シャフトのネックに対する取付角を調節する第１の角度調節部と、第１の角度調節部による調整後のヘッドのネックとグリップ側の持ち手位置との取付角度を調節のための第２の角度調節部が設けられていることを特徴とする。ここで、前記連結部材は、グリップ側シャフトとの間で仮留めしておくことが好ましい。
本発明によれば、第１の角度調節部と第２の角度調節部の構造は同じであるので、第１の角度調節部による調整後の第２の角度調節部による調整が連続的に行なうことができる。また、本発明によれば、ヘッドのネックとグリップ側の持ち手位置との取付角度を仮留めしてあるので、第１の角度調節部による調整後は、前記持ち手位置の仮留めを本締めするだけで、シャフトの取付角度を設定することが容易で、角度調整の間に、グリップの手持ち感覚が失われることもない。
【０００９】
本発明のゴルフクラブのシャフト取付角度の設定方法は、前記ゴルフクラブの取付角度の設定器を使用して、前記ゴルフクラブのヘッドを位置決め手段により位置決めしたときのゴルフクラブのヘッドに接触する仮想のボール位置であって前記ＹラインとＸラインが交差する位置に、ゴルファーの左右の目のうちの利き目のラインが一致するようにして構え、グリップ側シャフトのヘッドのネックに対する取付角を測定することを特徴とする。
本願発明者の研究によれば、前記仮想のボール位置にゴルファーの左右の目のうちの利き目のラインが一致するようにして構え（「利き目基準」とも呼ぶ。）、グリップ側シャフトのヘッドのネックに対する取付角を測定することが好ましいと考えるが、本発明によれば、この利き目基準に即した位置での取付角を前記位置決め治具により正確に測定することができるようになる。
【００１０】
本発明のゴルフクラブの取付角度の設定器は、地面に設置される鏡と、この鏡に取り付けられ、ゴルフクラブのヘッドを位置決めする位置決め治具とを備え、前記鏡に前記ゴルフクラブのヘッドの打球面に沿ってＹラインが施されているか、または、Ｙラインに直交するラインであってカップに向かうＸラインが施され、前記位置決め治具は前記ゴルフクラブのヘッドの前記Ｙラインの側から挟む左右側調節部、及び／又は、前記ゴルフクラブのヘッドの前記Ｘラインの側の位置決めをする中央側調節部を備えることを特徴とする。
【００１１】
本発明のゴルフクラブの取付角度の設定器は、ゴルフクラブのヘッドを鏡に取り付けられる位置決め治具において、前記鏡に施されるＹラインの側から挟む左右側調節部により狭持してから、ゴルファーがグリップ側シャフトのグリップを把持して鏡に向かって構え、前記ＹラインやＸラインに沿うようにして構えたり、又は、これらのＸ・Ｙラインが交差する位置に、ゴルファーの目（左右の目のうちの一方で良い）が一致するようにして構えたりして、鏡に自分の姿を映しながら、ゴルフクラブに対するグリップ側シャフトの取付角度、すなわちライ角、ロフト角、プル角を測定することができる。前記位置決め治具の中央側調節部によっても位置決めするので、これによりゴルフクラブのＸライン側の位置を調整したり、前記Ｘ・Ｙラインが交差する位置に位置決めする精度を高くすることができる。測定の結果は、ゴルファーが当該ゴルフクラブを使用する際の取り付け角度を考慮に入れたスイング（打球方向や距離など）に活かしたり、次のゴルフクラブの選定や自分専用のゴルフクラブ作りに活かすことができるようになる。
【００１２】
本発明のゴルフクラブの取付角度の設定器は、グリップ側シャフトがヘッドのネックから着脱自在で、グリップ側シャフトのヘッドのネックに対する取付角が調節可能なゴルフクラブを使用して、ヘッドを外した状態で、地面に設置される鏡に着脱自在に取り付け、ゴルファーがグリップ側シャフトのグリップを把持して鏡に向かって構えて、ゴルフクラブのシャフトの取付角度を調節することを特徴とする。また、ゴルフクラブの取付角度の設定方法は、グリップ側シャフトがヘッドのネックから着脱自在で、グリップ側シャフトのヘッドのネックに対する取付角が調節可能なゴルフクラブを使用して、ヘッドを外した状態で、地面に設置される鏡に着脱自在に取り付け、ゴルファーがグリップ側シャフトのグリップを把持して鏡に向かって構えて、ゴルフクラブのシャフトの取付角度を調節することを特徴とする。ここでの設定は、設定者（お店の係り員等）のゴルファーとは別の人による設定が好ましく、ゴルファーは鏡を見ながらの姿勢を維持したままが好ましい。また、取付角とは、ライ角、ロフト角、プル角を言う。
本発明によれば、前記第１と第２の取付角度調節を行なう際に、鏡に自分の姿を映しながら、最適な姿勢で構えることができる。ここで、その構え方としては、ゴルファーの目の利き目の垂直下に、前記ゴルフクラブのヘッドの打球面が位置するように構えることが好ましい。
【００１３】
本発明としては、前記鏡に、前記ヘッドの打球面に沿ってＹラインが施されるとともに、Ｙラインに直交するラインであってカップに向かうＸラインが施されていることが好ましい。
本発明によれば、カップに向かうラインを想定した最適な姿勢で構えることができ、その構えた状態でシャフトの取付角度を調節することができる。
【００１４】
本発明としては、ゴルファーの目の利き目の垂直下に、前記ゴルフクラブのヘッドの打球面が位置するように構えることを特徴とする。
本願発明者の研究によれば、前記仮想のボール位置にゴルファーの左右の目のうちの利き目のラインが一致するようにして構え（「利き目基準」とも呼ぶ。）、グリップ側シャフトのヘッドのネックに対する取付角を測定することが好ましく、本発明によれば、この利き目基準に即した位置での取付角の調節を行なうことができる。
【００１５】
本発明によれば、グリップ側シャフトのヘッドのネックに対する取付角を第１の角度調節部で調節すると、当該取付角度を維持しつつ、第２の角度調節部により、ヘッドのネックとグリップ側の持ち手位置との取付角度の調節を行なうことができる。
【００１６】
本発明としては、前記第１の角度調節部は、ヘッドのネックの先端部に設けられる球形状部材と、一端側が球形状部材に係止されながら回転可能に構成され、他端側内壁にネジが形成された第１の螺合用ソケットで構成され、上記連結部材との間で所定角度の角度調整が可能なことを特徴とする。
本発明によれば、上記取付角、つまりライ角、ロフト角、プル角を上記構成部材で調整可能である。
そして、前記第２の角度調節部は、前記連結部材に形成された第２の螺合用ソケットと、グリップ側シャフトの先端に形成されたネジとの間で所定角度の角度調整が可能なことが好ましい。
【００１７】
本発明によれば、第１の角度調節部も第２の角度調節部も同じネジ式で、連続的に調節可能である。グリップ部での持ち手感覚がそのために失われることがない。
なお、本発明としては、ゴルフクラブ全般に適用可能であるが、第１の角度調節部がゴルフパターのホーゼルに設けられていることが好ましい。
【発明の効果】
【００１８】
本発明のゴルフクラブによれば、グリップ側シャフトのヘッドのネックに対する取付角を角度調節部や、第１の角度調節部で調節すると、当該取付角度を維持しつつ、第２の角度調節部により、ヘッドのネックとグリップ側の持ち手位置との取付角度の調節を行なうことができる。また、ヘッドのネック又はグリップ側シャフトの先端側に細径の角度調節部を設けて、グリップ側シャフトのヘッドのネックに対する取付角を前記角度調節部で曲げ加工して調節すると、ヘッドのネックとグリップ側の持ち手位置との取付角度の調節を容易に行なうことができる。
また、本発明のゴルフクラブの取付角度の設定器と設定方法によれば、ゴルファーの個人個人に応じたシャフト取付角度と所定長さのゴルフクラブを設定したり、成長段階に応じてシャフト取付角度と所定長さのゴルフクラブを設定して提供することが可能になる。すなわち、個々のプレーヤーに合った最適のプル角、ロスト角、ライ角や、最適なシャフト長さを同時に調節することができる。したがって、従来のように、グリップ側シャフトのヘッドのネックに対する取付角を調節しても、グリップ部での持ち手感覚がそのために失われることがない。
【図面の簡単な説明】
【００１９】
【図１】本発明の実施の形態に係るゴルフクラブ（パター）を示す斜視図である。
【図２】本発明の実施の形態に係るゴルフクラブ（パター）を示す斜視図である。
【図３】上記実施の形態の連結部材の仮留め状態の斜視図である。
【図４】上記実施の形態のグリップ部の平面図である。
【図５】上記グリップ部を手で把持した状態の斜視図である。
【図６】上記実施の形態の第１の角度調節部の角度調節を説明する図である。
【図７】上記実施の形態の第１の角度調節部の角度調節を説明する図である。
【図８】上記実施の形態の第１の角度調節部の角度調節を説明する図である。
【図９】上記実施の形態の第１の角度調節部の角度調節を説明する図である。
【図１０】本発明の実施形態のゴルフクラブの取付角度の設定器を説明する図である。
【図１１】本発明の実施形態のゴルフクラブの取付角度の設定方法を説明する図である。
【図１２】本発明の実施形態のゴルフクラブの取付角度の設定方法を説明する図である。
【図１３】上記実施の形態の設定方法と比較する比較例を示す図である。
【図１４】上記実施形態に係るグリップ側シャフトを示す断面図である。
【図１５】本発明の他の実施形態に係るゴルフクラブを示す断面図である。
【図１６】本発明のゴルフクラブの取付角度の設定器の例を示す斜視図である。
【図１７】本発明のゴルフクラブの取付角度の設定器の例を示す斜視図である。
【図１８】本発明のゴルフクラブの取付角度の設定器の例を示す斜視図である。
【図１９】本発明の実施の形態に係るゴルフクラブ（パター）を示す側面図である。
【図２０】本発明の実施の形態に係るゴルフクラブ（パター）を示す側面図である。
【図２１】本発明の実施の形態に係るゴルフクラブ（パター）を示す側面図である。
【図２２】本発明の実施の形態に係る角度調節部を示す斜視図である。
【図２３】上記角度調節部を取り付けた補助金具をヘッドのネックに取り付けた状態を示す斜視図である。
【図２４】上記角度調節部を補助金具に取り付けた状態を示す斜視図である。
【図２５】本発明の実施の形態に係る曲げ加工器を示す斜斜視図である。
【図２６】本発明の実施の形態に係る曲げ加工器を示す斜斜視図である。
【図２７】本発明の実施の形態に係る曲げ加工器を示す斜斜視図である。
【発明の実施の形態】
【００２０】
以下、この発明の実施形態を図面に基づいて詳細に説明する。
【００２１】
（ゴルフクラブの構成）
図１と図２は、この発明のゴルフクラブ１の実施形態の分解斜視図であり、図３は、グリップ側シャフトの仮留め状態の図であり、図４は本実施形態の第第１と第２の角度調節部Ｋ１，Ｋ２を示す断面図である。
【００２２】
本実施の形態ゴルフクラブ１は、これをパターに適用したものであり、グリップ側シャフト２とヘッド３のネック３と、これらを連結する連結部材７を備える。
【００２３】
グリップ側シャフト２は、図５（ａ）に示すように、金属製のシャフトに合成樹脂やゴム材質のグリップ２ａが装着されており、グリップ２ａは、断面が矩形状に形成されている。ゴルフプレーヤは、手でグリップ２ａを把持するとき、その断面矩形状の一側面２ｂに親指と人差し指を揃える（図５（ｂ）（ｃ））。
【００２４】
ヘッド３は、その金属製のヘッドに金属製のシャフトが垂設されており、金属製のシャフトの先端側３ｅに第１の螺合用ソケット４が回転可能に取り付けられている。本実施の形態のパターには、ホーゼル３ｅが略Ｌ字形状にヘッド３から垂設され、ホーゼル（ネック）３ｅに、球形状部材５が取り付けられている。なお、ホーゼル３ｅの略Ｌ字形状の先端部の位置は、ヘッド３の打球面３ａの位置に向くように設けることが可能である。
【００２５】
図６は、第１の螺合用ソケット４がヘッド３のネック３との関係で所定角度回転する状態を説明する図である。ヘッド３のネック３の先端であるホーゼルの先端部３ｅには、球形状部材５が取り付けられ、この球形状部材５に第１の螺合用ソケット４の底部側が回転可能に取り付けられている。すなわち、第１の螺合用ソケット４との連動部が上記球形状部材５であり、その中心では第１の螺合用ソケット４を中心に配するが、この第１の螺合用ソケット４を引き出すようにすると、第１の螺合用ソケット４が所定角度回転可能になっている（図６（ａ）（ｂ））。また、第１の螺合用ソケット４の内壁にはネジｎが形成されている。ここで、球形状部材５としては、その先端部が平面とされて、この平面と連結部材７の先端の平面部とを接触させるようにしても良い。すなわち、球形状部材５は、略球形状であれば、厳密に球形でなくとも良い。また、球形状部材５の根元５ａは、径の小さな首部として構成され、この根元５ａに第１の螺合用ソケット４の底部４ａの小さな径が入り込むようにして取り付けられている。
【００２６】
連結部材７は、グリップ側シャフト２とヘッド３のネック３ｅとを連結するとともに、グリップ側シャフト２とも連結するもので、そのヘッド３側に、球形状部材５の表面に沿って回転する曲面部３ｑが形成され、他方には、グリップ側シャフト３との連結をするための第２の螺合用ソケット８が取り付けられ、第２の螺合用ソケット８の内部にはネジｎが形成されている。また、上記曲面部３ｑ側の外周にもネジが形成されている。したがって、いずれもネジ式で角度調節しながら連結可能に構成されている。そして、グリップ側シャフト３のネジｎに配されるナット９により締められる構成になっている。すなわち、上記ナット９はダブルナットとして機能する。締め付けはスパナやペンチ等の工具を使用する。なお、連結部材７のヘッド３側にもナット９が配されるようにしても良い。したがって、第１の角度調節部Ｋ１も第２の角度調節部Ｋ２も同じネジ式で、連続的に配置されているので、その調節が容易でデザイン的にも優れ、つまり、一見すると通常のパターと同じように認識される外観形状を呈するとともに、上記ナット９によるダブルナット効果でしっかりと固定される。
【００２７】
ここで、本実施の形態のグリップ側シャフト２のネジｎと連結部材７のネジｎとは同じ向きで形成されており、第１の角度調節部Ｋ１による調整を行なうと、そのときの螺合と同じ向きでヘッド３のネック３ｅとグリップ側の持ち手位置との取付角度（第２の角度調節部）Ｋ２を調節ができるようになっている。なお、本実施の形態では、グリップ側シャフト２のネジｎに配されているが、連結部材７のネジｎにも配されているものでもよい。また、上記ネジｎの向きを逆にすることも可能である。
【００２８】
（第１のゴルフクラブの取付角度の設定器と設定方法）
図１０は、ゴルフクラブの取付角度の設定器１１の図であり、図１１から図１３は、ゴルフクラブの取付角度の設定方法を説明する図である。
本実施の形態の取付角度の設定器（挿入角測定器）１１は、所定の大きさのシート部材１４に、鏡１２が取り付けられるとともに、ゴルフクラブ１のヘッド２のネック３ｅが着脱自在に取り付けられている。また、直交するラインＸ，Ｙが形成されている。これらＸラインは、ヘッド３の打球面３ａに沿うように、Ｙラインは、Ｙラインの延長線上にはカップ１３が取り付けられている（図１１参照）。そして、ゴルフクラブ１のヘッド３は、その取り外されたヘッド３が鏡１２のＸラインの位置をその中央にしてネジで着脱自在に装着されている。なお、ゴルフクラブ１のヘッドの打球面３ａに接触するようにゴルフボールＢを配して、ボールＢを見ながら調節するようにしても良い（図１１（ｂ）参照）。
一方、本実施の形態では、ゴルフクラブ１のグリップ側シャフト２に連結部材７を仮留めしたもので、シャフト長が異なるものを複数本用意してある。なお、図１５は、グリップ側シャフト２の長さ調節が可能な構造を示すものであり、このようなグリップ側シャフト２の長さ調節が可能なものを使用することで、複数本使用しないことも可能である。図１５の構成は、シャフトの外周とグリップ部の内側にネジｎが形成されて、これらの螺合状態を調節することで、グリップ側シャフト２の長さ調節が可能になっている。
【００２９】
したがって、取付角度の設定を望むゴルファーは、仮留めされたグリップ側シャフト２の複数の中から個別の最適シャフト長のものを選択して、ゴルフクラブの取付角度の設定器１１の上で構えるか、又は、図１５に示すようなグリップ側シャフト２の長さの調節可能なものを使用して、ゴルフクラブの取付角度の設定器１１の上で構える。すなわち、第１と第２の角度調節部Ｋ１，Ｋ２での調節を行なう際に、鏡１２に自分の姿を映しながら最適な姿勢になるように構える。
本実施の形態では、ゴルファーは、その利き目の垂直下に、ヘッド３の打球面３ａが位置するように構える。これを本願発明者は、利き目基準（或いは「効き目」、「効き眼」基準）と呼ぶ。本実施の形態では、ゴルファーが右目が利き目であり、右目を上記ＸラインとＹラインの交点に置くように、鏡１２を見ながら姿勢を整える。つまり、ボールＢ位置に利き目が映るように、目のラインが目標ライン（Ｘライン）上になるようにスタンスする（図１１（ａ）（ｂ）、図１２（ａ）（ｂ））。
利き目がボールＢの真上にあるので、構えがボールＢとカップ１３を結ぶ直線に対して正確に平行かどうかの確認・微調整が容易となり、ボールＢをカップインする確率は向上する。また、個別ゴルファーがそれぞれに最適化されたパターで利き目の垂直下にボールＢが位置するように構えた場合、そのフォーム（体勢・体型）はつねに同一の構えが再現される。この原理の前提としては、人間は正確な位置合わせは、利き目単眼で照準合わせを行うものであるというスポーツ医学的な発想を前提としてことに基づく。なお、単眼式の望遠鏡を覗かせ、利き目を確認してから上記スタンスをとるようにすると良い。このようにして設定する間際に、目標のＸラインをカップ１３までトレースすると良い（図１２（ｂ））、すなわちＸラインに沿ってカップインまで目を移動させるシュミレーションを行なう。
【００３０】
そして、上記トレース後、ゴルファーの姿勢を上記スタンスで維持していてもらい（利き目を、鏡１２のヘッド３の打球面３ａに合わせた状態）、設定者（お店の係員等）に、ヘッドのネック３ｅとの第１の角度調節部Ｋ１による角度調節をしてもらう。なお、ゴルファー自身で設定することも可能ではあるが、ここではゴルファーは最適な姿勢で構えることに集中する。ゴルフクラブの取付角度の設定器１１を地面に設置して、鏡１２を見ながらグリップ側シャフト２の長さ調節と第１の角度調節部Ｋ１での角度調節を行なうとともに、行なった直後は素早く第２の角度調節部Ｋ２での角度調節を行なう。なお、目のラインが目標ライン（Ｘライン）上にない場合は、図１３に示すように、目標ラインから外れることとなる。第２の角度調節部Ｋ２での角度調節では、仮止めされているので、これを本締めするだけであるので、ぶれ等を防止することができる。
【００３１】
ところで、パッティングはゴルフで最も高い精度が必要なプレーである。また、ボールＢをカップに入れるためにはボールＢを正確にボールＢとカップ１３を結ぶ直線上に打ち出さなければならない。そのためにはボールＢに対して常に一定のフォームで、且つボールＢとカップ１３を結ぶ直線に対して正確に平行に構える必要がある。
本実施の形態によれば、シャフト長さの選択とヘッド３のネック３ｅに対するグリップ側シャフト２の取付角度を上記姿勢で行なうので、グリップ感覚を維持しつつ、上記正しい姿勢での前提を維持しつつ取付角の設定が出来る。
ここで、プル角Ｐ１，Ｐ２の調節は、図７に示すように、ホーゼルの先端部（ネック）３ｅの球形状部材５に対する第１の螺合用ソケット４を左右に移動させることで調節可能である。図７では、ここでは球形状部材５に対する第１の螺合用ソケット４は丁度中心に合致した状態である。ライ角Ｒ１，Ｒ２の調節は、図８に示すように、球形状部材５に対する第１の螺合用ソケット４を上下に移動させることで調節可能である。ロフト角Ｌ１，Ｌ２の調節は、図９に示すように、ホーゼルの先端部３ｅの球形状部材５に対する第１の螺合用ソケット４を左右に移動させることで調節可能である。このようにして、最適なシャフト２とヘッド３の取付角を設定する。
【００３２】
図１４は、本発明のゴルフクラブの他の実施の形態である。
本実施の形態もパターに適用したものであり、グリップ側シャフト２とヘッド３のネック３ｅと、これらを連結する連結部材１７を備えるが、連結部材１７とヘッド３のネック３ｅの構造が上記実施の形態と異なる。すなわち、連結部材１７は、螺合用ソケット１０の内部にはネジｎが形成されているとともに、球形状部材５が取り付けられ、この球形状部材５を囲むように螺合用ソケット（第３の螺合用ソケット）１０が設けられている。他方、ヘッド３のネック３ｅの先端部には、球形状部材５の表面に沿って回転する曲面部３ｑが形成され、外周側にはネジｎが形成されている。したがって、筒状の螺合用ソケット１０とヘッド３のネック３ｅが連結され、球形状部材５を中心に曲面部３ｑが接触することで、連結部材１７に対するヘッド３のネック３ｅの取り付け角度が調節可能になっている。
【００３３】
（第２のゴルフクラブの取付角度の設定器と設定方法）
図１６から図１８は、ゴルフクラブの取付角度の設定器２１の図である。
本実施の形態のゴルフクラブの取付角度の設定器（ゴルフクラブのグリップ側シャフトＣ２の取付角度の測定器）２１は、所定の大きさのシート部材１４に、鏡２２が取り付けられるとともに、この鏡２２に取り付けられる位置決め治具２３とを備える設定器２１である。前記鏡２２は、四角形であり、ゴルフクラブ（パター）ＣのヘッドＣｈの打球面に沿ってＹラインが施されるとともに、Ｙラインに直交するラインであってカップに向かうＸラインが施され、このＸラインとＹラインの交差点Ｏを認識し易くするため（利き目を導入し易くするため）の円形のラインが施されている。
【００３４】
位置決め治具２３は、コ字状のフレーム２３ａが前記鏡２２に取り付けられ、コ字状のフレーム２３ａの左右端側に対向して左右側調節部２４を備える。左右側調節部２４は、ゴルフクラブＣのヘッドＣｈの前記Ｙラインの側から挟む部材であり、固定部２４ａと、固定部２４ａを回転しながら伸縮するロッド２４ｂと、ロッド２４ｂを所定位置でロックさせるための操作バー２４ｃと、固定部２４ａの突出長さを調節する調節バー２４ｄを備える。
また、コ字状のフレーム２３ａの中央には、鏡に施されたＸラインの側の位置決めをする中央側調節部２５を備え、この中央側調節部２５は、ゴルフクラブＣのヘッドＣｈを固定するための先端側狭持部２５ａと、長さ調節用の長さ調節フレーム２５ｂと、長さ調節フレーム２５ｂとコ字状のフレーム２３ａとを連結する連結軸２５ｃとを備える。長さ調節フレーム２５ｂには、その長さ方向に長孔２５ｄが形成されており、この長孔２５ｄを利用して、長さ調節フレーム２５ｂの長さを調節してロックする操作グリップ２５ｓが設けられている。また、先端側狭持部２５ａには、ゴルフクラブＣのヘッドＣｈを調節しながら固定するための操作グリップ２５ｔが設けられ、これらにより、鏡２２に施されたＸラインの側の位置決めをしたときの固定を行なうようになっている。位置決め治具２３は、鏡２２に対して着脱自在に取り付けられている。
【００３５】
したがって、本実施の形態のゴルフクラブの取付角度の設定器２１を使用して、グリップ側シャフトのヘッドのネックに対する取付角を測定する場合には、ゴルフクラブＣのヘッドＣｈを位置決め手段２３により位置決めする。すなわち、位置決め手段２３の中央側調節部２５により、ゴルフクラブＣのヘッドＣｈをＸラインとＹラインの交差点Ｏに向けて長さ調節するとともに、左右側調節部材２４によりして仮の位置を決める。そして、ゴルファーにグリップ側シャフトＣ２を把持して構えてもらい（図１８）、仮の位置を確認して（好ましい構えや、仮の位置が好ましくない場合は再度調節して）、先端側狭持部２５ａによりＸライン側の位置を決めると共に、左右側調節部２４の操作バー２４ｃによりＹラインの固定を行なう。このときのＹラインは、固定部２４ａの突出長さを調節する調節バー２４ｄによりゴルフクラブＣのヘッドＣｈの傾きも調節する。
本願発明者の研究によれば、前記仮想のボール位置にゴルファーの左右の目のうちの利き目のラインが一致するようにして構え（「利き目基準」とも呼ぶ。）、グリップ側シャフトＣ２のヘッドＣｈのネック３ｅに対する取付角を測定することが好ましいので、この利き目基準に即した位置での取付角を前記位置決め治具により正確に測定する。すなわち、前述したように、利き目がボールＢの真上にあるので、構えがボールＢとカップ１３を結ぶ直線に対して正確に平行かどうかの確認・微調整が容易となり、ボールＢをカップインする確率は向上する。
測定の結果は、ゴルファーが当該ゴルフクラブを使用する際の取り付け角度を考慮に入れたスイング（打球方向や距離など）に活かしたり、次のゴルフクラブの選定や自分専用のゴルフクラブ作りに活かすことができるようになる。
【００３６】
（第３のゴルフクラブと、その取付角度の設定方法）
図１９から図２２は、第３のゴルフクラブ３１を示す側面図である。このゴルフクラブ３１は、ヘッドＣｈのネック３ｅに曲げ加工の可能な角度調節部Ｋが設けられている。角度調節部Ｋは、ヘッドＣｈのネック３ｅに細径の部分Ｋを設けて曲げ加工し易くしている。なお、内部中空のパイプ状のものとして曲げ加工を容易にしても良い。したがって、ゴルフクラブ（パター）３１のヘッドｃｈを上記取付角度の設定器２１の位置決め治具２３に取り付け、ゴルファーにグリップ側シャフト３２のグリップ２ａを把持して鏡２２に向かって構えてもらい、グリップ側シャフト３２のヘッドＣｈのネック３ｅに対する取付角を前記細径の角度調節部Ｋを曲げ加工して調節すると、前記測定結果に基づいた個人個人のゴルファーに最適な角度のゴルフクラブが出来上がる。なお、予め所定角度の傾斜角度θが細径の部分Ｋを利用して形成されて、曲げ加工し易くしている。
【００３７】
ここで、上記角度調節部Ｋを有するヘッドＣｈのネック３ｅは、図１９に示すように、グリップ側シャフト３２と一体連結可能なものでも良いが、図２０（ａ）（ｂ）に示すように、ヘッドＣｈのネック３ｅに形成される穴３ｒに差し込むことが可能な連結部材Ｋ７として構成されるものや、図２２に示すように、上記連結部材Ｋ７の頭部にナット８を取り付け上記グリップ側シャフトＣ２の先端側に形成したネジｎと螺合して連結させる構造でも良い。また、図２２に示すように、細径の部分（角度調節部）Ｋをカバーするように螺合用ソケット１２を設けても良い。また、図２１（ａ）（ｂ）に示すように、ヘッドＣｈのネック３ｅに形成される穴３ｒに差し込むことが可能な上記角度調節部Ｋをグリップ側シャフト３２の先端側に設ける構成としても良い。第３のゴルフクラブ３１のその他の構成は、前述の実施の形態のゴルフクラブ１，Ｃを適用でき、長さの違うシャフトで長さ調節したり、ゴルフクラブの取付角度の設定器１１，２１を使用して取付角度を設定したりすることが可能である。
【００３８】
（ゴルフクラブの角度調節部の曲げ加工器）
図２６と図２７は、ゴルフクラブの角度調節部の曲げ加工器５１の図である。
本実施の形態の曲げ加工器５１は、曲げ用の補助金具４１を使用して、曲げ加工器５１に取り付けられて曲げ加工される。ここで、使用される第４のゴルフクラブ４１は、図２０（ａ）に示す第３のゴルフクラブ３１の応用例であり、図２３に示すように、前記曲げ加工の可能な連結部材Ｋ８は、グリップ側シャフトの径よりも細く形成される角度調節部Ｋａと、この角度調節部Ｋａの前後にこれよりも太い太径部Ｆ１，Ｆ２を有し、ゴルフクラブ４１のネック３ｅに設けられた穴３ｒに連結される。前記角度調節部Ｋａは、略Ｕ字状を呈して（Ｕ字溝或いはＶ字状溝）を呈してその前後の太径部Ｆ１，Ｆ２に向かって徐々に径が太くなる。したがって、角度調節部Ｋａから曲げるが、その曲げ加工の際の影響をその他の部分に及ぼさないように工夫されている。このような連結部材Ｋ８は、曲げ用の補助金具４１を介して曲げ加工器５１に装着されて曲げ加工される。
【００３９】
補助金具４１は、図２４と図２５に示すように、金属製の円盤状を呈して、その中央に穴が形成されるとともに、中央から左右に開く構造であり、角度調節部Ｋの太径部Ｆ１を挟み込む。この円盤状の補助金具５１は、着脱が容易な左右に開閉可能に構成されているが、差込式としても良い。そして、曲げ加工器５１に装着されて固定される。また、補助金具４１に、曲げ加工用の治具（棒状の金属部材）を差し込むための穴４２が形成されており、この差し込み用の穴４２に対して曲げ加工用の治具（図示せず）を差し込んで、曲げ加工器５１に固定された状態の連結部材Ｋ８の曲げ加工をする。本実施の形態の補助金具４１は、角度調節部Ｋの太径部Ｆ１を挟み込むものであるが、さらにシャフト３２やネック側をカバーするような構造でも良い。
【００４０】
曲げ加工器５１で曲げ加工するに際しては、上記連結部材Ｋ８をゴルフクラブ３１に取り付けた状態、つまりネックを有するヘッドとグリップ側シャフトに連結した状態で曲げ加工することが好ましい。ネックを有するヘッドやグリップ側シャフトの一方側にのみ連結した状態で曲げ加工することも可能ではあるが、全体のバランスが失われるおそれがあるからである。曲げ加工器５１は、補助金具４１を固定する固定部５３を備えると共に、固定された補助金具４１を回転させる回転部５４を備える。回転部５４は、ハンドル操作５５で回転部５４を回転可能に構成され、固定状態のゴルフクラブの角度調整が可能に構成されている。また、曲げ加工器５１は、グリップ側シャフト３２を固定するシャフト固定部５６を備えており、グリップ側シャフト３２を固定した状態で曲げ加工できる。
そして、上記回転部５４でハンドル操作して、ヘッド側を回転させるようにして、ヘッドのネック側を回転させて、補助金具４１を介して角度調節部Ｋａの曲げ加工を行なう。補助金具４１を介して角度調節部Ｋａの曲げ加工を行なうと、曲げ加工に伴う影響を角度調節部Ｋａ以外に及ぶことを防止する。
【００４１】
ここで、上記角度調節部Ｋをゴルフクラブに取り付けた状態で曲げ加工することが可能である。また、ゴルフクラブの取付角度の設定器１１，２１で設定した後、その状態を維持したまま、上記角度調節部Ｋをゴルフクラブに取り付けた状態で曲げ加工することが可能である。
【００４２】
以上、本実施の形態では、ゴルフパターを例に説明したが、本発明は、ゴルフクラブ全般に適用可能である。
【符号の説明】
【００４３】
１，Ｃ，３１    ゴルフクラブ（パター）、
２，Ｃ２，３２    グリップ側シャフト、２ａ  グリップ、２ｂ    親指等を接触させる面、
３，Ｃｈ    ヘッド、３ａ  打球面、３ｅ  ホーゼルの先端側（ネック）、３ｑ    曲面部、
３ｒ      穴、
４        第１の螺合用ソケット、
５        球形状部材、
６        第２の螺合用ソケット
７，１７，Ｋ７，Ｋ８  連結部材、
８        第２の螺合用ソケット、
９        ナット、
１０      螺合用ソケット（第３の螺合用ソケット）、
１１，２１    ゴルフクラブの取付角度の設定器、
２３      位置決め治具、２３ａ    コ字状のフレーム、
２４      左右側調節部、２４ａ  固定部、２４ｄ    調節バー、
２５      中央側調節部、２５ａ  先端側狭持部、２５ｂ  長さ調節フレーム、
２５ｃ      連結軸、
１２，２２    鏡、
４１      補助金具、４２  差し込み用の穴、
５１      曲げ加工器、
Ｂ        ボール、
Ｋ        角度調節部（細径の部分）、
Ｋ１      第１の角度調節部、
Ｋ２      第２の角度調節部、
ｎ        ネジ、
Ｓ        スタンス、
Ｘ        Ｘライン
Ｙ        Ｙライン
Ｏ        ＸラインとＹラインの交差点
【図１】
2014008290.tif 000003
【図２】
2014008290.tif 000004
【図３】
2014008290.tif 000005
【図４】
2014008290.tif 000006
【図５】
2014008290.tif 000007
【図６】
2014008290.tif 000008
【図７】
2014008290.tif 000009
【図８】
2014008290.tif 000010
【図９】
2014008290.tif 000011
【図１０】
2014008290.tif 000012
【図１１】
2014008290.tif 000013
【図１２】
2014008290.tif 000014
【図１３】
2014008290.tif 000015
【図１４】
2014008290.tif 000016
【図１５】
2014008290.tif 000017
【図１６】
2014008290.tif 000018
【図１７】
2014008290.tif 000019
【図１８】
2014008290.tif 000020
【図１９】
2014008290.tif 000021
【図２０】
2014008290.tif 000022
【図２１】
2014008290.tif 000023
【図２２】
2014008290.tif 000024
【図２３】
2014008290.tif 000025
【図２４】
2014008290.tif 000026
【図２５】
2014008290.tif 000027
【図２６】
2014008290.tif 000028
【図２７】
2014008290.tif 000029